(57)【要約】【課題】投影方向を便利に調整できる投影装置を有する、投影機付きコンピュータホストを提供する。【解決手段】投影機付きコンピュータホストは、ホスト及び投影装置を備える。ホストはキーボードを有し、投影装置は、キーボード周囲に設置され、投影レンズを有し、そのうち、投影レンズの使用位置が収納位置より高い。【選択図】図１
2010271684.tif 000002
【特許請求の範囲】
【請求項１】
キーボードを有するホストと、
前記キーボードの周囲に設置され、投影レンズを有し、前記投影レンズの使用位置が収納位置より高い投影装置と、
を含む投影機付きコンピュータホスト。
【請求項２】
前記ホストがノートブック型コンピュータのホストである請求項１に記載の投影機付きコンピュータホスト。
【請求項３】
前記ホストが上面を有し、前記キーボードが前記上面に設置される請求項１に記載の投影機付きコンピュータホスト。
【請求項４】
前記投影レンズの前記収納位置が前記上面に等しいか、より低く、前記使用位置が前記上面より高い請求項３に記載の投影機付きコンピュータホスト。
【請求項５】
前記投影装置が前記ホスト及び前記投影レンズ間を接続する接続部材を更に含む請求項１に記載の投影機付きコンピュータホスト。
【請求項６】
前記接続部材が蛇管である請求項５に記載の投影機付きコンピュータホスト。
【請求項７】
前記接続部材の一端が前記ホストに回動自在に接合する請求項５に記載の投影機付きコンピュータホスト。
【請求項８】
前記投影レンズが前記接続部材に相対して転動することができる請求項５に記載の投影機付きコンピュータホスト。
【請求項９】
前記ホストの一側から引き出すことに適する投影スクリーンを更に含む請求項１に記載の投影機付きコンピュータホスト。
【請求項１０】
前記投影スクリーンがリール式又は牽引式の投影スクリーンである請求項９に記載の投影機付きコンピュータホスト。
【請求項１１】
前記投影レンズが投影する画面の寸法が前記投影スクリーンの寸法に基づき自動調整される請求項９に記載の投影機付きコンピュータホスト。
【発明の詳細な説明】
【技術分野】
【０００１】
本発明は、コンピュータホスト（computer host）に関し、特に、投影機（projection apparatus）付きコンピュータホストに関する。
【背景技術】
【０００２】
現在の電子製品が軽薄短小を傾向とする設計に制限を受けているので、現在の投影機と一般のノートブック型コンピュータの機能は、独立しており、従って、伝送線の接続を経由して始めてノーブック型コンピュータ中のデータを投影機に伝送することができるようになり、その後、始めて投影機に投影させることができる。使用者にとって、顧客又は製造業者の会社に赴きプレゼンテーションを行う必要がある時、ノートブック型コンピュータ及びノートブック型コンピュータの周辺機器を携帯しなければならない以外に、更に伝送線を別途携帯し、不時の必要に備える必要があり、相当不便である。
【発明の概要】
【発明が解決しようとする課題】
【０００３】
また、市場の投影機は、ただ前方の目標カーテン生地に向けて投射することしかできず、投影機が固定されていれば、投影の方向を変換することができない。言い換えれば、投影機の移動又は転動のみによって始めて投影方向を変更することができる。しかしながら、伝送線の長さに制限を受け、ノートブック型コンピュータ及び投影機の距離に影響を及ぼしている。更に、報告者が会議中に自席から比較的遠くに離れてプレゼンテーションを行う必要があることにより、もう一人にプレゼンテーションのページ変更を制御する手助けしてもらうことが必要となり得る。また、使用者が座席を離れる必要があると同時にノートブック型コンピュータを制御する必要もある時、会議の円滑性に影響を及ぼす。また、顧客が投影機を提供しなければ、プレゼンテーションを行うことができず、顧客の印象に影響を及ぼすだけでなく、業務上の損失を招く可能性がある。
【課題を解決するための手段】
【０００４】
本発明は、投影方向を便利に調整可能な投影装置を有する投影機付きコンピュータホストを提供する。
【０００５】
本発明が提示する投影機付きコンピュータホストは、ホスト及び投影装置を含む。ホストは、キーボードを有し、投影装置は、キーボード周囲に設置され、投影レンズを有し、そのうち、投影レンズの使用位置が収納位置より高い。
【０００６】
本発明の投影機付きコンピュータホストの実施例中、ホストは、ノートブック型コンピュータのホストである。
【０００７】
本発明の投影機付きコンピュータホストの実施例中、ホストは、上面を有し、キーボードが上面に設置され、且つ投影レンズの収納位置が上面に等しいかより低く、使用位置が上面より高い。
【０００８】
本発明の投影機付きコンピュータホストの実施例中、投影装置は、ホスト及びレンズの間を接続する接続部材を含み、且つこの接続部材は、蛇管である。接続部材の一端がホストに枢接（ヒンジ接合）し、且つ投影レンズは、接続部材に相対して転動することができる。
【０００９】
本発明の投影機付きコンピュータホストの実施例中、ホストの一側から引き出すことに適する投影スクリーンを更に含む。
【００１０】
本発明の投影機付きコンピュータホストの実施例中、投影スクリーンがリール式又は牽引式投影スクリーンであり、そのうち、投影レンズが投影する画面の寸法が投影スクリーンの寸法に基づき自動調整される。
【００１１】
上記に基づき、本発明の投影機付きコンピュータホストは、投影装置をホストと１つに整合しているので、使用者は、コンピュータホストを携帯しさえすれば、投影の機能を有することができる。また、投影装置の投影レンズは、ホストに回動自在に接合するので、使用者が投影方向を調整することに便利である。
【発明の効果】
【００１２】
本発明の投影機付きコンピュータホストは、投影装置およびコンピュータホストの機能を整合し、コンピュータホストに一般のコンピュータの書類データ整理編集の機能を持たせ、更に投影を兼ね備えることができるようにする。また、投影装置の投影レンズは、活動でき、使用者に投影したい方向を思い通りに調整させることができる。使用者にとって、会議時の独立作業の使用に有利であり、且つ会議の円滑性を向上することができる。家にいて使用する時、大スクリーン高画質のホームシアターを享受することができる。従いまして、投影機付きコンピュータホストは、使用便利性を備えている。
【００１３】
本発明の上記特徴及び利点をより分かり易くするため、実施例を挙げ、図面と併せて以下に詳細に説明する。
【図面の簡単な説明】
【００１４】
【図１】本発明の実施例の投影機付きコンピュータホストの説明図である。
【図２】図１の投影機付きコンピュータホストの側面図である。
【図３】図２の投影装置の説明図である。
【図４】図２の投影装置が収納位置に位置する説明図である。
【図５】図１の投影機付きコンピュータホストの投影スクリーンを引き出した後の説明図である。
【図６Ａ】本実施例の投影機付きコンピュータホストの使用フロー説明図である。
【図６Ｂ】本実施例の投影機付きコンピュータホストの使用フロー説明図である。
【図６Ｃ】本実施例の投影機付きコンピュータホストの使用フロー説明図である。
【図６Ｄ】本実施例の投影機付きコンピュータホストの使用フロー説明図である。
【図６Ｅ】本実施例の投影機付きコンピュータホストの使用フロー説明図である。
【図７】蛇管を選択し、接続部材とした投影機付きコンピュータホストの説明図である。
【発明を実施するための形態】
【００１５】
図１は、本発明の実施例の投影機付きコンピュータホストの説明図である。図1において、投影機を備えるホストコンピュータ１００は、ホスト１１０及び投影装置１２０を含み、そのうち、ホスト１１０がノートブック型コンピュータのホストであることができ、キーボード１１２及び上面１１０ａを有し、キーボード１１２は、上面１１０ａに設置される。投影装置１２０は、キーボード１１２周囲に設置され、投影レンズ１２２を有する。
【００１６】
図２は、図１の投影機付きコンピュータホストの側面図であり、図３は、図２の投影装置の説明図である。図２及び図３を同時に参考にし、投影装置１２０は、ホスト１１０及び投影レンズ１２２の間を接続する接続部材１２４を更に含み、そのうち、接続部材１２４の一末端１２４ａがホスト１１０に回動自在に接合する。本実施例の接続部材１２４は、材質が比較的硬いパイプを選択して用い、且つ投影レンズ１２２が接続部材１２４の他末端１２４ｂに回動自在に接合するので、投影レンズ１２２は、枢軸（図示せず）を軸心として末端１２４ｂに対して上下に転動することができ、投影レンズ１２２を設置した末端１２４ｂ及び末端１２４ａを回動自在に接合し、投影レンズ１２２に接続部材１２４の中心線Ｃを軸心として左右に転動させることができる。接続部材１２４は、その他の硬度及びフレキシビリティを兼ね備える部材、例えば、蛇管を選択することができ、要求に応じて決定することができる。
【００１７】
上記のように、そのうち、図２の投影装置１２０は、使用位置に位置する。図４は、図２の投影装置が収納位置に位置する説明図である。図２及び図４を同時に参考にし、投影レンズ１２２の使用位置は、収納位置より高い。図４において、使用者が投影装置１２０を収納する時、投影レンズ１２２の収納位置は、ホスト１１０の上面１１０ａより低いか等しい。図２において、使用者は、投影装置１２０を使用する時、先ず、接続部材１２４をホスト１１０に回動自在に接合する末端１２４ａを軸心として回転させ、投影装置１２２の位置を上面１１０ａより高くする。ここで指す使用位置は、投影レンズ１２２の高さがホスト１１０の上面１１０ａより高いだけで良く、このように、ホスト１１０が投影レンズ１２２を妨げる障壁を形成し、円滑に投影できなくなることを回避することができる。留意すべきことは、投影レンズ１２２の高さがホスト１１０に接近し過ぎる場合、イメージが外部の投影スクリーンに投影される時に、一部のイメージがホスト１１０により遮蔽され、投影スクリーンに完全に投影することができなくなることが起こり得るということである。従って、好ましくは、投影イメージ１２２及びホスト１１０の上面１１０ａの間に十分な高さを保持させ、完全なイメージを表示する。
【００１８】
また、使用者が投影レンズ１２２の投影方向を調整する必要がある時、末端１２４ａと回動自在に接合する末端１２４ｂを転動させ、末端１２４ｂを末端１２４ａに対して左右に転動させることができる。その後、末端１２４ｂが回動自在に接合する投影レンズ１２２を上下に転動させ、投影レンズ１２２の投影角度を調整することができる。
【００１９】
上記から分かるように、本実施例の投影機付きコンピュータホスト１００は、使用者にとって相当な便利性を有し、使用環境が別途投影装置を提供するか否かを心配する必要がない。また、会議に使用する時、使用者は、座席上で同時に投影レンズ１２２の投射方向の操作及びプレゼンテーションを行うことができ、会議の円滑性を向上することができる。
【００２０】
また、本実施例の投影機付きコンピュータホスト１００が表示スクリーンを別途設置するか否かは、要求に応じて決定することができる。例えば、本実施例のホスト１１０がノートブック型コンピュータのホストであり、ノートブック型コンピュータが元々表示スクリーンを設置しているので、使用者は、本実施例の投影機付きコンピュータホスト１００を使用し、表示スクリーンに組み合わせ、書類の編集を直接行うことができる。その他の使用者の要求を考慮する場合、例えば、投影機付きコンピュータホスト１００の重量及び厚さを軽減し、使用者の携帯等の要素に便利である為、表示スクリーンを設置せず、使用者が外部の投影スクリーンを組みあせて使用し、書類の編集を行うことがで、そのうち、外部の投影スクリーンは、布幕又は表面が平らな壁であることができる。
【００２１】
図５は、図１の投影機付きコンピュータホストの投影スクリーンを引き出した後の説明図である。更には、投影機付きコンピュータホスト１００は、投影スクリーン１３０を更に含むことができ、且つこの投影スクリーン１３０は、ホスト１１０の一側から引き出すことに適する。詳細に言えば、投影スクリーン１３０が布幕であり、且つリール式投影スクリーンであることができる。リール式投影スクリーン１３０は、ホスト１１０内に設置され、使用を必要とする時にホスト１１０の一側から引き出せばよいようにすることができる。また、投影スクリーン１３０は、牽引式投影スクリーンであり、且つ牽引式投影スクリーンは、未使用時には、ホスト１１０の下方又は一側に収納し、使用を必要とする時にホスト１１０の一側から牽引し出すことができる。投影スクリーン１３０の展開時の使用寸法は、使用者の個人の要求に応じてどれだけ引き出すかを決定することができる。上記の投影スクリーン１３０の設置方式は、機構設計の必要に応じて設計することができ、ここでは、制限を加えない。
【００２２】
特に、使用者が使い慣れた寸法に応じるように、ソフトウェア又はセンサの設置によって、投影レンズ１２２が投影する画面の寸法を使用者が引き出す投影スクリーン１３０の寸法に基づき自動調整し、表示画面の過小又は過大を避けることができる。
【００２３】
図６Ａ〜図６Ｅは、本実施例の投影機付きコンピュータホストのフロー説明図である。図６Ａに示すように、投影スクリーン１３０及び投影装置１２０がホスト１１０の同一側に収納され、そのうち、ホスト１１０が折り畳み可能式であり、且つ投影機付きコンピュータホスト１００が折り畳んだホスト１１０上に被覆する上蓋１４０を更に含む。図６Ｂに示すように、使用者は、上蓋１４０を開き、ホスト１１０を広げ、キーボード１１２を左右両側に広げる。続いて、図６Ｃに示すように、上に向かって投影スクリーン１３０を引き出す。その後、図６Ｄに示すように、投影スクリーン１３０を右に展開し、使用者の方向に投影装置１２０を引き出し、投影レンズ１２２を収納位置から使用位置に移動させる。最後に、図６Ｅに示すように、投影レンズ１２２がイメージを投影スクリーン１３０上に投影する。
【００２４】
図７は、蛇管を選択し、接続部材とした投影機付きコンピュータホストの説明図である。図７において、接続部材１２４は、蛇管を選択し、蛇管が柔らかさ、硬さを兼ね備えているので、使用者が蛇管を思い通りに折り曲げて投影レンズ１２２の高さを調整することができ、同様に投影レンズ１２２の投影方向及び角度を調整する目的を達成することができる。
【００２５】
その他の図示していない実施例中、投影装置１２０は、ホスト１１０上に直接設置し、且つ依然としてキーボード１１２の傍らに位置するものであることもできる。例えば、ホスト１１０上に上面１１０ａに相対して開くことができる開閉蓋を設置することができ、開閉蓋が上面１１０ａに相対して開かれる時、投影レンズ１２２は、開閉蓋に伴い、収納位置から使用位置に移動し、投影することができる。以上に挙げる投影装置１２０及びホスト１１０の設置方式は、例を挙げて説明することに用いるだけであり、投影装置１２０の設置方式の多くは、当業者が実際の必要に応じて変更することができる。
【００２６】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【符号の説明】
【００２７】
１００  コンピュータホスト
１１０  ホスト
１１０ａ  上面
１１２  キーボード
１２０  投影装置
１２２  投影レンズ
１２４  接続部材
１２４ａ，１２４ｂ  末端
１３０  投影スクリーン
１４０  上蓋
【図１】
2010271684.tif 000003
【図２】
2010271684.tif 000004
【図３】
2010271684.tif 000005
【図４】
2010271684.tif 000006
【図５】
2010271684.tif 000007
【図６Ａ】
2010271684.tif 000008
【図６Ｂ】
2010271684.tif 000009
【図６Ｃ】
2010271684.tif 000010
【図６Ｄ】
2010271684.tif 000011
【図６Ｅ】
2010271684.tif 000012
【図７】
2010271684.tif 000013